(57)【特許請求の範囲】
【請求項１】
回転可能に支持されて、可撓性を有する基材を保持する圧胴と、
回転可能に支持されて、所定のパターンが形成された版面を有する版を備える版胴とを備え、
前記圧胴に保持された基材に対して、前記版胴により機能性を有する材料からなる機能性インキを前記パターンで転写することにより電子デバイスを製造する電子デバイス製造装置であって、
前記パターンの基材搬送方向に沿った長さが基材の搬送方向の長さの半分未満であり、
前記版面へ機能性インキを供給する機能性インキ供給手段と、
前記圧胴及び前記版胴をそれぞれ駆動する圧胴回転駆動手段及び版胴回転駆動手段と、
前記圧胴の位相を検知する圧胴位相検知手段と、
前記版胴の位相を検知する版胴位相検知手段と、
前記圧胴に保持された基材に対して、前記版面へ供給された機能性インキを搬送方向に異なる位置に複数回転写させるように、前記圧胴位相検知手段及び前記版胴位相検知手段からの情報に基づいて、前記機能性インキ供給手段、前記圧胴回転駆動手段、前記版胴回転駆動手段の作動をそれぞれ制御する制御手段と
を備えたことを特徴とする電子デバイス製造装置。
【請求項２】
回転可能に支持された圧胴に保持された可撓性を有する基材に対して、回転可能に支持され、所定のパターンが形成された版面を有する版を備える版胴により機能性を有する材料からなる機能性インキを前記パターンで転写することにより、電子デバイスを製造する電子デバイス製造方法であって、
前記パターンの基材搬送方向に沿った長さを基材の搬送方向の長さの半分未満とするとともに、
前記版面へ機能性インキを供給する機能性インキ供給手段と、
前記圧胴及び前記版胴をそれぞれ駆動する圧胴回転駆動手段及び版胴回転駆動手段と、
前記圧胴の位相を検知する圧胴位相検知手段と、
前記版胴の位相を検知する版胴位相検知手段と
を設け、
前記圧胴に保持された基材に対して前記版面へ供給された機能性インキを転写した後、前記圧胴と前記版胴の位相を相互にずらして同一の基材に対し先に機能性インキを転写した位置とは搬送方向に異なる位置に機能性インキを転写するように、前記圧胴位相検知手段及び前記版胴位相検知手段からの情報に基づいて前記機能性インキ供給手段、前記圧胴回転駆動手段、前記版胴回転駆動手段の作動をそれぞれ制御する
ことを特徴とする電子デバイス製造方法。
【発明の詳細な説明】
【技術分野】
【０００１】
本発明は、可撓性を有する基材に機能性を有する材料からなるパターンを形成することにより電子デバイスを製造する電子デバイス製造装置に関する。
【背景技術】
【０００２】
機能性を有する材料を基材上に積層して機能層を形成した薄膜トランジスタ（ＴＦＴ）等のフレキシブルな電子デバイスは、例えば、下記特許文献１に記載されているように、圧胴に基材を保持させて当該圧胴を回転させることにより基材を搬送する一方、当該圧胴に対接可能なゴム胴上にインキ層を設け、当該ゴム胴に対接可能な版胴の版の凸部パターンを当該ゴム胴に対接させて、当該ゴム胴上のインキ層のうち凸部パターンと接触した部分のインキを除去して当該ゴム胴上にインキパターンを形成した後、上記圧胴に保持されている基材に対して、上記ゴム胴上の上記インキパターンを転写することにより、基材に複数の機能層を設けるようにした印刷法で製造することが知られている。
【先行技術文献】
【特許文献】
【０００３】
【特許文献１】特開２０１５−１５３７９６号公報
【特許文献２】特開２０１３−２４１２７５号公報
【特許文献３】特開２００７−２６８７１５号公報
【発明の概要】
【発明が解決しようとする課題】
【０００４】
ここで、電子デバイスを印刷によって製造する装置においては、印刷条件を確認したり、版の生産性を高めたりするために、あるパターンを基板上に一度印刷した後、さらに位相をずらして同一のパターンの印刷を行いたいという要求があった。
【０００５】
このようなことから本発明は、版に形成された一つのパターンを、同一の基材に位相をずらして複数回転写することを可能とした電子デバイス製造装置を提供することを目的とする。
【課題を解決するための手段】
【０００６】
前述した課題を解決するための、本発明に係る電子デバイス製造装置は、
回転可能に支持されて、可撓性を有する基材を保持する圧胴と、
回転可能に支持されて、所定のパターンが形成された版面を有する版を備える版胴とを備え、
前記圧胴に保持された基材に対して、前記版胴により機能性を有する材料からなる機能性インキを前記パターンで転写することにより電子デバイスを製造する電子デバイス製造装置であって、
前記パターンの基材搬送方向に沿った長さが基材の搬送方向の長さの半分未満であり、
前記版面へ機能性インキを供給する機能性インキ供給手段と、
前記圧胴及び前記版胴をそれぞれ駆動する圧胴回転駆動手段及び版胴回転駆動手段と、
前記圧胴の位相を検知する圧胴位相検知手段と、
前記版胴の位相を検知する版胴位相検知手段と、
前記圧胴に保持された基材に対して、前記版面へ供給された機能性インキを搬送方向に異なる位置に複数回転写させるように、前記圧胴位相検知手段及び前記版胴位相検知手段からの情報に基づいて、前記機能性インキ供給手段、前記圧胴回転駆動手段、前記版胴回転駆動手段の作動をそれぞれ制御する制御手段と
を備えたことを特徴とする。
【０００７】
また、本発明に係る電子デバイス製造方法は、
回転可能に支持された圧胴に保持された可撓性を有する基材に対して、回転可能に支持され、所定のパターンが形成された版面を有する版を備える版胴により機能性を有する材料からなる機能性インキを前記パターンで転写することにより、電子デバイスを製造する電子デバイス製造方法であって、
前記パターンの基材搬送方向に沿った長さを基材の搬送方向の長さの半分未満とするとともに、
前記版面へ機能性インキを供給する機能性インキ供給手段と、
前記圧胴及び前記版胴をそれぞれ駆動する圧胴回転駆動手段及び版胴回転駆動手段と、
前記圧胴の位相を検知する圧胴位相検知手段と、
前記版胴の位相を検知する版胴位相検知手段と
を設け、
前記圧胴に保持された基材に対して前記版面へ供給された機能性インキを転写した後、前記圧胴と前記版胴の位相を相互にずらして同一の基材に対し先に機能性インキを転写した位置とは搬送方向に異なる位置に機能性インキを転写するように、前記圧胴位相検知手段及び前記版胴位相検知手段からの情報に基づいて前記機能性インキ供給手段、前記圧胴回転駆動手段、前記版胴回転駆動手段の作動をそれぞれ制御する
ことを特徴とする。
【発明の効果】
【０００８】
本発明に係る電子デバイス製造装置によれば、版に形成された一つのパターンを、同一の基材に位相をずらして複数回転写することができる。
【図面の簡単な説明】
【０００９】
【図１】本発明に係る電子デバイス製造装置の実施形態の要部概略構成図である。
【図２】図１の電子デバイス製造装置の要部の制御ブロック図である。
【図３】図１の電子デバイス製造装置の版の一例を示す平面図である。
【図４】図１の電子デバイス製造装置を使用した電子デバイスの製造方法の手順説明図である。
【発明を実施するための形態】
【００１０】
本発明に係る電子デバイス製造装置の実施形態を図面に基づいて説明するが、本発明は図面に基づいて説明する以下の実施形態のみに限定されるものではない。
【００１１】
〈主な実施形態〉
本発明に係る電子デバイス製造装置の主な実施形態を図１〜４に基づいて以下に説明する。
【００１２】
図１において、１１０は圧胴、１２０は版胴、１３０はインクジェット装置である。
【００１３】
前記圧胴１１０は、回転可能に支持されると共に、可撓性を有する基材であるシートＳを保持する保持面である有効面１１０ａを一つ具備する一倍径サイズをなしている。そして、前記圧胴１１０は、シートＳの搬送方向（以下、シート搬送方向という）前方側（先端側）を着脱可能に把持するくわえ爪装置１１１と、シート搬送方向後方側（末端側）を着脱可能に吸引保持する吸引ヘッド１１２（例えば、前記特許文献２等参照）とをそれぞれ有している。前記吸引ヘッド１１２は、吸引ポンプ１５４に接続している（図２参照）。
【００１４】
前記版胴１２０は、回転可能に配設され、前記圧胴１１０に対接する作動位置と前記圧胴１１０から離反した退避位置との間を直線的にスライド移動できるようにガイドレール（図示省略）を介して支持されている。そして、前記版胴１２０は、版Ｐを保持する保持面である有効面１２０ａを一つ具備する一倍径サイズをなすと共に、当該版Ｐの一端側（先端側）と他端側（末端側）とを着脱可能に保持する版保持装置１２１を有している。
【００１５】
前記版Ｐは所定の機能をなすパターン（絵柄）Ｐａが形成された版面を有している。前記版Ｐの版面のパターンＰａの回転方向（シート搬送方向）に沿う長さは、シート搬送方向の長さの半分未満（図３に示す例では、１／５未満）となっているものとする。
【００１６】
機能性インキ供給手段である前記インクジェット装置１３０は、前記退避位置に位置する前記版胴１２０の前記版Ｐの版面に対して、導電性等の機能性を有する材料からなる機能性インキを噴射して供給することができるようになっている。
【００１７】
図２に示すように、前記圧胴１１０を独立して回転駆動させる圧胴回転駆動手段であるモータ１５１と、前記版胴１２０を独立して回転駆動させる版胴回転駆動手段であるモータ１５２とは、制御手段である制御装置１５０の出力部にそれぞれ電気的に接続している。前記制御装置１５０の出力部は、前記インクジェット装置１３０へ電気的に接続している。
【００１８】
また、前記制御装置１５０の出力部は、前記版胴１２０を前記ガイドレールに沿ってスライド移動させるアクチュエータ１５３と、前記吸引ポンプ１５４とにそれぞれ電気的に接続している。
【００１９】
他方、前記制御装置１５０の入力部には、前記圧胴１１０の回転位相を検知する圧胴位相検知手段であるロータリエンコーダ１５５と、前記版胴１２０の回転位相を検知する版胴位相検知手段であるロータリエンコーダ１５６とがそれぞれ電気的に接続されている。
【００２０】
つまり、前記制御装置１５０は、前記ロータリエンコーダ１５５，１５６からの情報に基づいて、前記モータ１５１，１５２の回転作動、前記アクチュエータ１５３の伸縮作動、前記吸引ポンプ１５４の作動、前記インクジェット装置１３０の作動等をそれぞれ制御することができるようになっている（詳細は後述する）。
【００２１】
このような本実施形態に係る電子デバイス製造装置１００においては、当初、前記版胴１２０が、前記圧胴１１０から離反する前記退避位置に位置している。そして、前記圧胴１１０の前記くわえ爪装置１１１がシートＳの先端側（頭側）をくわえると共に、前記吸引ポンプ１５４が作動して前記吸引ヘッド１１２でシートＳの末端側（尻側）を吸引することにより、当該圧胴１１０の前記有効面１１０ａ上にシートＳが保持される。
【００２２】
前記制御装置１５０は、前記版胴１２０の前記版Ｐの版面に機能性インキを供給するように、前記ロータリエンコーダ１５６からの情報に基づいて、前記モータ１５２を作動させて当該版胴１２０を回転させると共に、前記インクジェット装置１３０を作動させて当該インクジェット装置１３０から機能性インキを噴射させる。
【００２３】
前記版胴１２０の前記版Ｐの版面に機能性インキが供給されると、前記制御装置１５０は、前記ロータリエンコーダ１５５，１５６からの情報に基づいて、前記圧胴１１０と前記版胴１２０との位相を合致させながら当該胴１１０，１２０を回転させるように前記モータ１５１，１５２を作動させると共に、当該版胴１２０を当該圧胴１１０に対接させるとともに所望の印圧（第一の印圧）で転写を行うように前記アクチュエータ１５３を作動させて、前記退避位置に位置する当該版胴１２０を前記作動位置にまでスライド移動させる。これにより、前記圧胴１１０の前記有効面１１０ａ上に保持されたシートＳの規定の位置に、前記版胴１２０の前記版Ｐの版面のパターンＰａに対応した機能性インキが第一の印圧で転写されて、第一の機能性パターンＩ１が形成される（図４（ａ）参照）。
【００２４】
このようにしてシートＳの規定の位置に機能性インキの第一の機能性パターンＩ１を形成すると、前記制御装置１５０は、前記ロータリエンコーダ１５５，１５６からの情報に基づいて、前記作動位置に位置する前記版胴１２０を前記退避位置にまで戻すように前記アクチュエータ１５３を作動させた後、当該版胴１２０の前記版Ｐの版面に機能性インキを再び供給するように、前記ロータリエンコーダ１５６からの情報に基づいて、前記インクジェット装置１３０を作動させて当該インクジェット装置１３０から機能性インキを再び噴射させる。
【００２５】
前記版胴１２０の前記版Ｐの版面の全体にわたって機能性インキが再び供給されると、前記制御装置１５０は、前記ロータリエンコーダ１５５，１５６からの情報に基づいて、シートＳに転写された第一の機能性パターンＩ１に対して位相をずらして当該第一の機能性パターンＩ１と同一のパターンである第二の機能性パターンＩ２を転写するため、前記圧胴１１０の位相に対して前記版胴１２０の位相を調整しつつ当該胴１１０，１２０を回転させるように前記モータ１５１，１５２を作動させると共に、当該版胴１２０を当該圧胴１１０に再び対接させるとともに所望の印圧（第二の印圧）で転写を行うように前記アクチュエータ１５３を作動させて、前記退避位置に位置する当該版胴１２０を前記作動位置にまで再びスライド移動させる。これにより、前記圧胴１１０の前記有効面１１０ａ上のシートＳの第一の機能性パターンＩ１の例えばシート搬送方向下流側に、前記版胴１２０の前記版Ｐの版面のパターンＰａに対応した機能性インキが第二の印圧で転写されて、第二の機能性パターンＩ２が形成される（図４（ｂ）参照）。
【００２６】
以下、上述した作動を繰り返すことにより（例えば、さらに３回）、シートＳの前記第二の機能性パターンＩ２のシート搬送方向下流側に、第一，第二の機能性パターンＩ１，Ｉ２と同一のパターンである第三の機能性パターンＩ３，第四の機能性パターンＩ４及び第五の機能性パターンＩ５がそれぞれの所望の印圧（第三，第四及び第五の印圧）で順に形成される（図４（ｃ），４（ｄ），４（ｅ）参照）。
【００２７】
なお、本実施例において前記制御装置１５０は、第一〜第五の機能性パターンＩ１〜Ｉ５をそれぞれ形成する際、当該第一〜第五の機能性パターンＩ１〜Ｉ５が相互に重ならない位置（図４に示す例では第一〜第五の機能性パターンＩ１〜Ｉ５が相互に離間した位置）に転写されるように、前記圧胴１１０の位相に対して前記版胴１２０の位相を調整するものとする。
【００２８】
このように、本実施形態に係る電子デバイス製造装置１００においては、前記版Ｐの版面に形成された一つのパターンＰａを利用して、一つのシートＳに、シート搬送方向に沿って同一の機能性パターンを複数（本実施形態ではＩ１〜Ｉ５の五つ）転写することができる。
【００２９】
したがって、本実施形態に係る電子デバイス製造装置１００によれば、一つのシートＳに同一の機能性パターンを複数（本実施形態ではＩ１〜Ｉ５の五つ）形成したい場合であっても、前記版Ｐの版面には一つのパターンＰａのみを形成すればよく、前記版Ｐの製作コストを下げることができる。これにより、前記版Ｐの効率向上（製作工数低減）等の効果がある。
【００３０】
また、シートＳに対して、前記版Ｐの版面のパターンＰａに対応した機能性インキを複数回（本実施形態では５回）、それぞれを所望の印圧でシート搬送方向に沿って並べて転写していることから、例えば、最適な印圧はどの程度かを検討するための適正印圧のテストを少ない工数で容易に行うことができる。
【００３１】
〈他の実施形態〉
なお、前述した実施形態においては、前記圧胴１１０の位相に対して前記版胴１２０の位相を調整しつつ当該胴１１０，１２０を回転させるように前記モータ１５１，１５２を作動させる例を示したが、他の実施形態として、前記版胴１２０の位相に対して前記圧胴１１０の位相を調整しつつ当該胴１１０，１２０を回転させるように前記モータ１５１，１５２を作動させることも可能である。
【００３２】
また、前述した実施形態においては、第一〜第五の機能性パターンＩ１〜Ｉ５を転写する際の印圧をそれぞれ変化させる例を示したが、他の実施形態として、例えば、第一〜第五の機能性パターンＩ１〜Ｉ５を転写する際に、モータ１５１，１５２の作動を制御して、各機能性パターンＩ１〜Ｉ５を転写する際の印刷速度を変化させることも可能である。このような構成とすれば、どの程度の印刷速度まで良好な印刷を行うことが可能かを検討するための適正印刷速度のテストを容易に行うことができる。もちろん、各機能性パターンＩ１〜Ｉ５を同一の条件で転写することも可能である。
【００３３】
また、前述した実施形態においては、前記版Ｐの大きさをシートＳと同様の大きさとする例を示したが、他の実施形態として、前記版Ｐの大きさをパターンＰａのサイズに応じた大きさ（すなわち、シートＳよりも小さいサイズ）としてもよい。このような構成とすれば、前記版Ｐの製作工数低減，材料費低減等といった効率向上、及び版の保管場所削減等の作業効率向上の効果がある。
【００３４】
また、前述した実施形態においては、前記版Ｐに一つのパターンＰａを形成する例を示したが、他の実施形態として、一つの前記版Ｐにシート搬送方向に沿って複数の異なるパターンを形成してもよい。このような構成とすれば、一つの前記版Ｐで複数の電子デバイスの印刷に対応することができる。これによって、前記版Ｐの枚数削減や版交換の工数削減などの効果が得られる。
【００３５】
また、前述した実施形態においては、前記版胴１２０の前記版Ｐに前記インクジェット装置１３０により機能性インキを供給するようにしたが、他の実施形態として、例えば、インキ壺から移しローラ等を介してインキを版胴に供給するインキ装置や、インキ皿からインキを版胴に直接供給するインキ装置や、インキ皿からファニシャローラやインキ出しローラやインキ着けローラ等を介してインキを版胴に間接的に供給するインキ装置等を適用することも可能である。
【００３６】
また、前述した実施形態においては、前記圧胴１１０の前記有効面１１０ａに保持されたシートＳに対して、前記版胴１２０の前記版Ｐに供給された機能性インキを直接的に転写するようにしたが、他の実施形態として、例えば、前記圧胴１１０及び前記版胴１２０に対して対接離反移動できるように当該圧胴１１０と当該版胴１２０との間にブランケット胴を回転可能に配設することにより、当該版胴１２０の前記版Ｐに供給された機能性インキを当該ブランケット胴に一旦転写してから上記圧胴１１０の前記有効面１１０ａに保持されたシートＳに転写するオフセット方式とすることも可能である。
【００３７】
また、前述した実施形態においては、前記吸引ポンプ１５４に接続した前記吸引ヘッド１１２を前記圧胴１１０の前記有効面１１０ａに設けることにより、シートＳのシート搬送方向後方側（末端側）を当該有効面１１０ａに着脱可能に吸引保持するようにしたが、他の実施形態として、例えば、上記吸引ヘッド１１２等に代えて、前記圧胴１１０の前記有効面１１０ａ上にシリコンゴム等からなるラバーシートを取り付けておくことにより、シート搬送方向後方側（末端側）を当該有効面１１０ａに対して着脱可能に密着保持できるようにしても、前述した実施形態と同様な作用効果を得ることができる。
【産業上の利用可能性】
【００３８】
本発明に係る電子デバイス製造装置は、版に形成された一つのパターンを、同一の基材に位相をずらして複数回転写することができるので、産業上、極めて有益に利用することができる。
【符号の説明】
【００３９】
１００  電子デバイス製造装置
１１０  圧胴
１１０ａ  有効面
１１１  くわえ爪装置
１１２  吸引ヘッド
１２０  版胴
１２０ａ  有効面
１２１  くわえ爪装置
１３０  インクジェット装置
１５０  制御装置
１５１，１５２  モータ
１５３  アクチュエータ
１５４  吸引ポンプ
１５５，１５６  ロータリエンコーダ
Ｐ  版
Ｐａ  版面のパターン
Ｓ  シート
Ｉ１〜Ｉ５  機能性パターン
【図１】
0006630223.tif 000002
【図２】
0006630223.tif 000003
【図３】
0006630223.tif 000004
【図４】
0006630223.tif 000005